(57)【要約】【課題】発光効率を低下させることなく、電磁波ノイズも抑制できるようにした無電極放電灯および照明器具を提供する。【解決手段】放電ガスが封入されたバルブ２と、フェライトコア５に巻回されて誘導電界を発生する第１のコイル６と、第１のコイル６と共に巻回されて、一端７ａが第１のコイル６に接続され、他端７ｂが開放端であり、第１のコイル６の電位勾配と逆の電位勾配を発生する第２のコイル７とを備える無電極放電灯１において、第１のコイル６は、密巻きにするとともに、第２のコイル７は、第１のコイルの線間の窪み６ａに沿って疎巻きにした。【選択図】図１
2009158198.tif 000002
【特許請求の範囲】
【請求項１】
放電ガスが封入されたバルブと、フェライトコアに巻回されて誘導電界を発生する第１のコイルと、第１のコイルと共に巻回されて、一端が第１のコイルに接続され、他端が開放端であり、第１のコイルの電位勾配と逆の電位勾配を発生する第２のコイルとを備える無電極放電灯において、
第１のコイルは、密巻きにするとともに、第２のコイルは、第１のコイルの線間の窪みに沿って疎巻きにしたことを特徴とする無電極放電灯。
【請求項２】
第２のコイルの線径を第１のコイルの線径よりも細くしたことを特徴とする請求項１に記載の無電極放電灯。
【請求項３】
請求項１または２に記載の無電極放電灯を備えたことを特徴とする照明器具。
【発明の詳細な説明】
【技術分野】
【０００１】
本発明は、放電ガスが封入されたバルブに、コイルで発生する誘導電界を作用させることでプラズマを発生させ、水銀原子から発生する紫外線がバルブ内面の蛍光体で可視光に変換されるようになった無電極放電灯および照明器具に関する。
【背景技術】
【０００２】
従来、放電ガスが封入されたバルブと、フェライトコアに巻回されて誘導電界を発生する第１のコイルと、第１のコイルと共に巻回されて、一端が第１のコイルに接続され、他端が開放端であり、第１のコイルの電位勾配と逆の電位勾配を発生する第２のコイルとを備える無電極放電灯がある（特許文献１参照）。
【０００３】
この無電極放電灯では、第１のコイルで発生する電磁波ノイズを第２のコイルで吸収することで、無電極放電灯の近傍の電気機器に影響を与える電磁波ノイズを抑制するようにしている。
【０００４】
この無電極放電灯における第１のコイルは、コイル線間に一定のスペースを確保しながら巻回（疎巻き）し、この確保された線間のスペースに第２コイルを巻回（疎巻き）するようになっている。つまり、第１のコイルと第２コイルとを横並びでそれぞれ疎巻きしていることになる。
【特許文献１】特開昭６０−２３５３５４号公報
【発明の開示】
【発明が解決しようとする課題】
【０００５】
しかしながら、誘導電界を発生する第１のコイルを疎巻きにしていることから、第１のコイルのインダクタンス値が減少して、無電極放電灯の発光効率が低下するという問題があった。
【０００６】
本発明は、前記問題を解消するためになされたもので、発光効率を低下させることなく、電磁波ノイズも抑制できるようにした無電極放電灯および照明器具を提供することを目的とするものである。
【課題を解決するための手段】
【０００７】
前記課題を解決するために、本発明は、放電ガスが封入されたバルブと、フェライトコアに巻回されて誘導電界を発生する第１のコイルと、第１のコイルと共に巻回されて、一端が第１のコイルに接続され、他端が開放端であり、第１のコイルの電位勾配と逆の電位勾配を発生する第２のコイルとを備える無電極放電灯において、第１のコイルは、密巻きにするとともに、第２のコイルは、第１のコイルの線間の窪みに沿って疎巻きにしたことを特徴とする無電極放電灯を提供するものである。
【０００８】
請求項２のように、請求項１に記載の無電極放電灯において、第２のコイルの線径を第１のコイルの線径よりも細くすることができる。
【０００９】
請求項３のように、請求項１または２に記載の無電極放電灯を備えた照明器具とすることができる。
【発明の効果】
【００１０】
本発明によれば、第１のコイルは密巻きにすることで、インダクタンス値が減少しないので発光効率が低下しなくなるとともに、第２のコイルは、第１のコイルの線間の窪みに沿って疎巻きにすることで、電磁波ノイズも抑制できるようになる。
【００１１】
請求項２によれば、第２のコイルは、第１のコイルの線間の窪みに沿って疎巻きにでき、電流も極めて微小であるために、第１のコイルの線径よりも細くすることが可能となり、コイルの大径化を抑制できるようになる。
【００１２】
請求項３によれば、発光効率が低下せず、電磁波ノイズも抑制できる照明器具となる。
【発明を実施するための最良の形態】
【００１３】
以下、本発明を実施するための最良の形態について、図面を参照しながら詳細に説明する。
【００１４】
図１は、無電極放電灯１であり、ガラス球状のバルブ２の基部２ａは口金３に固定されている。バルブ２の内部中心にはキャビティ４が一体的に形成されている。バルブ２内には、放電ガスが封入されているとともに、バルブ２の内面には、蛍光体が塗布されている。
【００１５】
キャビティ４内には、口金３で下端部を支持されたフェライトコア５が挿入され、このフェライトコア５の外周には、誘導電界を発生する第１のコイル６が螺旋状に密巻き（密着巻き）されている。
【００１６】
この第１のコイル６と共に巻回される第２のコイル７は、図２を参照すれば、一端７ａが第１のコイル６に接続され、他端７ｂが開放端となっていて、第１のコイル６の電位勾配と逆の電位勾配を発生するように設定されている。
【００１７】
第２のコイル７は、第１のコイル６の外周の線間の窪み６ａに沿って螺旋状に疎巻きされている。また、第２のコイル７の線径ｄ１は、第１のコイル６の線径ｄ２よりも細く設定されている。なお、第２のコイル７は、第１のコイル６の内周の線間の窪み６ａに沿って螺旋状に疎巻きすることも可能である。
【００１８】
第１のコイル６は、無電極放電灯１の発光効率を高めるために低抵抗のリッツ線を使用することが好ましく、第２のコイル７は、リッツ線でも電磁波ノイズの抑制効果はあるが、電流が極めて微小なために、単線を使用することもできる。
【００１９】
口金３内には、各コイル６，７に電気を供給するための電気供給ユニット８が組み込まれている。
【００２０】
前記のような無電極放電灯１であれば、第１のコイル６は密巻きにすることで、インダクタンス値が減少しないので発光効率が低下しなくなるとともに、第２のコイル７は、第１のコイル６の線間の窪み６ａに沿って疎巻きにすることで、電磁波ノイズも抑制できるようになる。
【００２１】
また、第２のコイル７は、第１のコイル６の線間の窪み６ａに沿って疎巻きにでき、電流も極めて微小であるために、第１のコイル６の線径ｄ２よりも細くすることが可能となり、コイルの大径化を抑制できるようになる。
【００２２】
前記無電極放電灯１は、図３に示すように、前面パネル２０で反射板２１が密閉され、外来光がほとんど無い暗所の照明器具２２としても用いることができる。なお、２３は点灯回路である。
【図面の簡単な説明】
【００２３】
【図１】本発明の実施形態に係る無電極放電灯の断面図である。
【図２】第１のコイルと第２のコイルの回路構成図である。
【図３】無電極放電灯を取付けた密閉型照明器具の斜視図である。
【符号の説明】
【００２４】
１    無電極放電灯
２    バルブ
３    口金
４    キャビティ
５    フェライトコア
６    第１のコイル
６ａ  窪み
７    第２のコイル
７ａ  一端
７ｂ  他端
２２  照明器具
ｄ１  第２のコイルの線径
ｄ２  第１のコイルの線径
【図１】
2009158198.tif 000003
【図２】
2009158198.tif 000004
【図３】
2009158198.tif 000005